(57)【要約】      （修正有）【課題】機械的動作機構がなく、これにより、信頼性に高く、かつ小型化を実現できる液晶表示装置を提供する。【解決手段】観察者側から、少なくとも、光源ＬＴからの光を導く導光板ＧＬＢと、液晶表示パネルＰＮＬと、光の通過および反射を切り換える光学媒体ＬＭと、カラーフィルタＣＦ、反射板ＣＲＦを順次配置させてなり、前記光源ＬＴからの光は、色の三原色を担当する各色が順次切り換えてなされ、前記液晶表示パネルＰＮＬを通過した後に前記光学媒体ＬＭによって観察者側に反射させるとともに、前記カラーフィルタＣＦは、液晶表示パネルＰＮＬの互いに隣接する少なくとも３個の画素のそれぞれに対向するようにして色の三原色を担当する各色のフィルタからなり、前記反射板ＣＲＦは、前記導光板ＧＬＢ、液晶表示パネルＰＮＬ、光学媒体ＬＭ、およびカラーフィルタＣＦを介して通過される外来光を観察者側に反射させる。【選択図】    図１
2004287031.tif 000002
【特許請求の範囲】
【請求項１】
観察者側から、少なくとも、光源からの光を導く導光板と、液晶表示パネルと、光の通過および反射を切り換える光学媒体と、カラーフィルタ、反射板を順次配置させてなり、
前記光源からの光は、色の三原色を担当する各色が順次切り換えてなされ、前記液晶表示パネルを通過した後に前記光学媒体によって観察者側に反射させるとともに、
前記カラーフィルタは、液晶表示パネルの互いに隣接する少なくとも３個の画素のそれぞれに対向するようにして色の三原色を担当する各色のフィルタからなり、
前記反射板は、前記導光板、液晶表示パネル、光学媒体、およびカラーフィルタを介して通過される外来光を観察者側に反射させることを特徴とする液晶表示装置。
【請求項２】
前記カラーフィルタは前記反射板面に形成されていることを特徴とする請求項１に記載の液晶表示装置。
【請求項３】
表示制御回路を備え、この表示制御回路によって、前記光源のオン・オフを判定し、該光源がオンの際に、各画素に該光源からの各色の光の切り換えに応じて対応する色の映像信号が供給され、前記光源がオフの際に、互いに隣接する少なくとも３個の前記画素のそれぞれにそれに対向して配置されるカラーフィルタの色に対応する色の映像信号が供給されることを特徴とする請求項１に記載の液晶表示装置。
【請求項４】
前記光源がオンの際に、互いに隣接する少なくとも３個の前記画素のうちそれより少ない数で選択された画素以外の他の画素に供給される映像信号は間引きされることを特徴とする請求項３に記載の液晶表示装置。
【請求項５】
観察者側から、少なくとも、液晶を介して対向配置された透明基板を外囲器とする液晶表示パネルと、光源からの光を導く導光板を順次配置させてなり、
前記液晶表示パネルは、その各画素の一部にて前記導光板側の透明基板の液晶側の面に光反射層と、該透明基板あるいは該透明基板と対向する他の透明基板の液晶側の面に前記光反射層と対向してカラーフィルタが形成されているとともに、
前記光源からの光は、色の三原色を担当する各色が順次切り換えてなされることを特徴とする液晶表示装置。
【請求項６】
反射層の面積は画素の領域の面積に対して１／３以下の割合で形成されていることを特徴とする請求項５に記載の液晶表示装置。
【請求項７】
各画素は、ゲート信号線からの走査信号の供給によってオンされる薄膜トランジスタと、この薄膜トランジスタを介してドレイン信号線からの映像信号が供給される画素電極を備え、前記反射層は前記ゲート信号線あるいはドレイン信号線の延在部で構成されていることを特徴とする請求項５に記載の液晶表示装置。
【請求項８】
観察者側から、少なくとも、光源からの光を導く導光板と、液晶表示パネルと、光の通過および反射を切り換える光学媒体と、色の三原色を担当する各色のカラーフィルタ、反射板を順次配置させてなり、
前記光源は、それからの光が色の三原色を担当する各色で順次切り換えて発せられ、
前記液晶表示パネルは、その各画素にて、前記カラーフィルタの各色に対向させた３個の画素領域に区分されているとともに、
各画素領域に同時に映像信号が供給される手段と該各画素領域に独立に黒表示信号が供給される手段とを備えることを特徴とする液晶表示装置。
【請求項９】
各画素領域には映像信号線を介して映像信号が供給され、黒表示信号は該映像信号線を介して供給されることを特徴とする請求項８に記載の液晶表示装置。
【請求項１０】
前記光源から光が発せられている際には、各画素領域に黒表示信号が供給されることはなく、前記光源から光が発せられていない際には、各画素領域に映像信号を供給した後に、その映像信号の担当する色に対応する画素領域以外の他の残りの画素領域に黒表示信号を供給することを特徴とする請求項８に記載の液晶表示装置の駆動方法。
【請求項１１】
各画素領域には映像信号線を介して映像信号が供給され、黒表示信号は該映像信号線とは別個に設けられた信号線を介して供給されることを特徴とする請求項８に記載の液晶表示装置。
【請求項１２】
観察者側から、少なくとも、光源からの光を導く導光板と、液晶表示パネルと、光の通過および反射を切り換える光学媒体と、色の三原色を担当する各色のカラーフィルタ、反射板を順次配置させてなり、
前記光源は、それからの光が色の三原色を担当する各色で順次切り換えて発せられ、
前記液晶表示パネルは、その各画素にて、前記カラーフィルタの各色に対向させた３個の画素領域に区分されているとともに、
これら各画素領域のそれぞれの画素電極には、それぞれ、第１のゲート信号線からの走査信号の供給によって駆動される第１の薄膜トランジスタを介して、第２のゲート信号線からの走査信号の供給によって駆動される第２の薄膜トランジスタを介して、第３のゲート信号線からの走査信号の供給によって駆動される第３の薄膜トランジスタを介して、同一のドレイン信号線からの映像信号が供給されるように構成されていることを特徴とする液晶表示装置。
【請求項１３】
前記映像信号には黒表示信号を含み、各画素領域のそれぞれの表示を切り換えて順次行なうとともに、それらの切り換り時にて該黒表示信号による黒表示を行なうことを特徴とする請求項１２に記載の液晶表示装置の駆動方法。
【発明の詳細な説明】
【０００１】
【発明の属する技術分野】
本発明は液晶表示装置に係り、いわゆるフィールドシーケンシャル方式で表示されるカラー液晶表示装置に関する。
【０００２】
【従来の技術】
フィールドシーケンシャル方式のカラー液晶表示装置とは、各画素に透過させる光をたとえば赤色、緑色、および青色と時間的に順次切り換えて行なうとともに、そのタイミングに合わせて各画素に赤色用、緑色用、および青色用の映像信号を供給するように構成したものである。
【０００３】
これにより、カラー液晶表示装置の観察者はそれぞれ画素情報がのせられた赤色、緑色、および青色の各光を時間的に分離された状態で受けることになるが、それらが混色された状態で感知することができる。
【０００４】
そして、このようなカラー液晶表示装置は、赤色、緑色、および青色の各光を照射できる光源を必要とするものであり、たとえば、該光源の駆動を停止させ、太陽光等の外来光（白色光）を用いて該カラー液晶表示装置を駆動させる場合にはカラー表示ができない構成となっている。
【０００５】
しかし、このようなカラー液晶表示装置をたとえば携帯電話等の表示装置として用い、その待ち受けモードあるいは屋外での長時間使用の際には、太陽光等の外来光（白色光）を用いてカラー表示がなされることが強く要望されている。
【０００６】
このような要望を満足できるものとして、液晶表示パネル（液晶セル）の外部にカラーフィルタを設け、これを各画素に対して機械的に移動させることで、白色外来光を用いてカラー表示がなされるものが知られている（特許文献１参照）。
【０００７】
【特許文献１】
特開２００２−３２８３５５号公報
【０００８】
【発明が解決しようとする課題】
しかしながら、このような液晶表示装置は、カラーフィルタの機械的動作を含むため信頼性に乏しくなり、またその動作をさせる機械的装置を含むため装置自体の小型化に限界を有するものとなる不都合を有するものである。
本発明は、このような事情に基づいてなされたものであり、その目的は、機械的動作機構がなく、これにより、信頼性に高く、かつ小型化を実現できる液晶表示装置を提供することにある。
【０００９】
【課題を解決するための手段】
本願において開示される発明のうち、代表的なものの概要を簡単に説明すれば、以下のとおりである。
手段１．
本発明による液晶表示装置は、たとえば、観察者側から、少なくとも、光源からの光を導く導光板と、液晶表示パネルと、光の通過および反射を切り換える光学媒体と、カラーフィルタ、反射板を順次配置させてなり、
前記光源からの光は、色の三原色を担当する各色が順次切り換えてなされ、前記液晶表示パネルを通過した後に前記光学媒体によって観察者側に反射させるとともに、
前記カラーフィルタは、液晶表示パネルの互いに隣接する少なくとも３個の画素のそれぞれに対向するようにして色の三原色を担当する各色のフィルタからなり、
前記反射板は、前記導光板、液晶表示パネル、光学媒体、およびカラーフィルタを介して通過される外来光を観察者側に反射させることを特徴とするものである。
【００１０】
手段２．
本発明による液晶表示装置は、たとえば、手段１の構成を前提に、前記カラーフィルタは前記反射板面に形成されていることを特徴とするものである。
【００１１】
手段３．
本発明による液晶表示装置は、たとえば、手段１の構成を前提に、表示制御回路を備え、この表示制御回路によって、前記光源のオン・オフを判定し、該光源がオンの際に、各画素に該光源からの各色の光の切り換えに応じて対応する色の映像信号が供給され、前記光源がオフの際に、互いに隣接する少なくとも３個の前記画素のそれぞれにそれに対向して配置されるカラーフィルタの色に対応する色の映像信号が供給されることを特徴とするものである。
【００１２】
手段４．
本発明による液晶表示装置は、たとえば、手段３の構成を前提に、前記光源がオンの際に、互いに隣接する少なくとも３個の前記画素のうちそれより少ない数で選択された画素以外の他の画素に供給される映像信号は間引きされることを特徴とするものである。
【００１３】
手段５．
本発明による液晶表示装置は、たとえば、観察者側から、少なくとも、液晶を介して対向配置された透明基板を外囲器とする液晶表示パネルと、光源からの光を導く導光板を順次配置させてなり、
前記液晶表示パネルは、その各画素の一部にて前記導光板側の透明基板の液晶側の面に光反射層と、該透明基板あるいは該透明基板と対向する他の透明基板の液晶側の面に前記光反射層と対向してカラーフィルタが形成されているとともに、
前記光源からの光は、色の三原色を担当する各色が順次切り換えてなされることを特徴とするものである。
【００１４】
手段６．
本発明による液晶表示装置は、たとえば、手段５の構成を前提に、反射層の面積は画素の領域の面積に対して１／３以下の割合で形成されていることを特徴とするものである。
【００１５】
手段７．
本発明による液晶表示装置は、たとえば、手段５の構成を前提に、各画素は、ゲート信号線からの走査信号の供給によってオンされる薄膜トランジスタと、この薄膜トランジスタを介してドレイン信号線からの映像信号が供給される画素電極を備え、前記反射層は前記ゲート信号線あるいはドレイン信号線の延在部で構成されていることを特徴とするものである。
【００１６】
手段８．
本発明による液晶表示装置は、たとえば、観察者側から、少なくとも、光源からの光を導く導光板と、液晶表示パネルと、光の通過および反射を切り換える光学媒体と、色の三原色を担当する各色のカラーフィルタ、反射板を順次配置させてなり、
前記光源は、それからの光が色の三原色を担当する各色で順次切り換えて発せられ、
前記液晶表示パネルは、その各画素にて、前記カラーフィルタの各色に対向させた３個の画素領域に区分されているとともに、
各画素領域に同時に映像信号が供給される手段と該各画素領域に独立に黒表示信号が供給される手段とを備えることを特徴とするものである。
【００１７】
手段９．
本発明による液晶表示装置は、たとえば、手段８の構成を前提とし、各画素領域には映像信号線を介して映像信号が供給され、黒表示信号は該映像信号線を介して供給されることを特徴とするものである。
【００１８】
手段１０．
本発明による液晶表示装置は、たとえば、手段８の構成を前提とし、前記光源から光が発せられている際には、各画素領域に黒表示信号が供給されることはなく、前記光源から光が発せられていない際には、各画素領域に映像信号を供給した後に、その映像信号の担当する色に対応する画素領域以外の他の残りの画素領域に黒表示信号を供給することを特徴とするものである。
【００１９】
手段１１．
本発明による液晶表示装置は、たとえば、手段８の構成を前提とし、各画素領域には映像信号線を介して映像信号が供給され、黒表示信号は該映像信号線とは別個に設けられた信号線を介して供給されることを特徴とするものである。
【００２０】
手段１２．
本発明による液晶表示装置は、たとえば、観察者側から、少なくとも、光源からの光を導く導光板と、液晶表示パネルと、光の通過および反射を切り換える光学媒体と、色の三原色を担当する各色のカラーフィルタ、反射板を順次配置させてなり、
前記光源は、それからの光が色の三原色を担当する各色で順次切り換えて発せられ、
前記液晶表示パネルは、その各画素にて、前記カラーフィルタの各色に対向させた３個の画素領域に区分されているとともに、
これら各画素領域のそれぞれの画素電極には、それぞれ、第１のゲート信号線からの走査信号の供給によって駆動される第１の薄膜トランジスタを介して、第２のゲート信号線からの走査信号の供給によって駆動される第２の薄膜トランジスタを介して、第３のゲート信号線からの走査信号の供給によって駆動される第３の薄膜トランジスタを介して、同一のドレイン信号線からの映像信号が供給されるように構成されていることを特徴とするものである。
【００２１】
手段１３．
本発明による液晶表示装置は、手段１２の構成を前提とし、前記映像信号には黒表示信号を含み、各画素領域のそれぞれの表示を切り換えて順次行なうとともに、それらの切り換り時にて該黒表示信号による黒表示を行なうことを特徴とするものである。
【００２２】
なお、本発明は以上の構成に限定されず、本発明の技術思想を逸脱しない範囲で種々の変更が可能である。
【００２３】
【発明の実施の形態】
以下、本発明による液晶表示装置の実施例を図面を用いて説明をする。
実施例１．
まず、図１は本発明による液晶表示装置の一実施例を示す説明図で、その（ａ）は平面図、（ｂ）は（ａ）のｂ−ｂ線における断面図で、それに示す部材に信号を供給する回路を付加させた図を示している。
【００２４】
図１（ｂ）において、液晶表示パネルＰＮＬがある。この液晶表示パネルＰＮＬは液晶を介して対向される透明基板を外囲器とし、該液晶の広がり方向にマトリクス状に配置された多数の画素を有して構成されている。
【００２５】
該液晶表示パネルＰＮＬはたとえばアクティブ・マトリクス型のものであって、いわゆる透過型として構成されている。ここで透過型とは内部に反射板を供えないものであって、該液晶表示パネルＰＮＬの一方の面から他方の面に光が透過できる画素から構成されている。また、この液晶表示パネルＰＮＬは内部にカラーフィルタを備えないものとなっている。
【００２６】
なお、この液晶表示パネルＰＮＬは、表示制御回路ＴＣＯＮによって駆動される駆動回路ＤＲＶ１からの信号が供給されて表示されるようになっている。
該液晶表示パネルＰＮＬの観察者側の面には偏光板ＰＯＬを介して導光板ＧＬＢが配置されている。偏光板ＰＯＬおよび導光板ＧＬＢはそのいずれも少なくともその液晶表示部を被うようにして配置されている。
【００２７】
導光板ＧＬＢの側壁面には、図１（ａ）に示すようにたとえば赤色発光ダイオードＲＤ、緑色発光ダイオードＧＤ、および青色発光ダイオードＢＤが配置され、これら各ダイオードは点灯制御装置ＬＣＡによって発光されるようになっている。それぞれの各ダイオードＲＤ、ＧＤ、ＢＤからの光は導光板ＧＬＢの側壁面から内部に入射され前記液晶表示パネルＰＮＬ側に出射されるようになっている。
【００２８】
各ダイオードＲＤ、ＧＤ、ＢＤは前記表示制御回路ＴＣＯＮによって駆動される点灯制御装置ＬＣＡからの信号によって発光されるようになっている。この場合、図１（ｃ）に示すように、時間経過とともに、たとえば赤色発光ダイオードＲＤ、緑色発光ダイオードＧＤ、および青色発光ダイオードＢＤの順に発光、消光が繰り返されるようになっている。図１（ｃ）は、その横軸に時間ｔを、縦軸に輝度Ｂをとっている。
【００２９】
前記液晶表示パネルＰＮＬの背面には光学媒体ＬＭが少なくとも該液晶表示パネルＰＮＬの液晶表示部を被うようにして配置されている。この光学媒体ＬＭは切り換えによって反射板および光透過板の機能を有するように構成されている。すなわち、この光学媒体ＬＭは、液晶表示パネルＰＮＬを光透過モード（光源ＬＴのＯＦＦ時）として用いる際には光透過板として機能をもたせ、光反射モード（光源ＬＴのＯＮ時）として用いる際には反射板としての機能をもたせるようになっている。
【００３０】
光学媒体ＬＭの前記各機能の切り換えは前記表示制御回路ＴＣＯＮによって駆動される駆動回路ＤＲＶ２からの信号によってなされるようになっている。
この光学媒体ＬＭの背面には色付反射板ＣＲＦが少なくとも該液晶表示パネルＰＮＬの液晶表示部を被うようにして配置されている。この色付反射板ＣＲＦはたとえば該光学媒体ＬＭと対向する反射板の表面にカラーフィルタを備えて構成され、該カラーフィルタの色は赤、緑、および青の各色からなり、液晶表示パネルＰＮＬの各画素に対応させて形成されている。
【００３１】
図２は、上述した液晶表示装置の動作を示した説明図で、その（ａ）は反射モードで使用する場合、（ｂ）は透過モードで使用する場合を示している。
まず、図２（ａ）の反射モードでは、液晶表示パネルＰＮＬの各画素は画像データに応じて液晶の光透過率が制御され、各ダイオードＲＤ、ＧＤ、ＢＤからの光供給はＯＮとなり、かつ、光学媒体ＬＭは光反射機能を有するように設定される。
【００３２】
すなわち、液晶表示パネルＰＮＬには導光板ＧＬＢを介して赤色ダイオードＲＤ、緑色ダイオードＧＤ、および青色ダイオードＢＤからの光が順次繰り返されて入射され、これらの光は液晶表示パネルＰＮＬ内の液晶を通して前記光学媒体ＬＭに入射される。なお、これら各ダイオードからの光の入射のタイミングに合わせて、液晶表示パネルＰＮＬには赤色用、緑色用、および青色用の画像データが入力され、それに応じて各画素が駆動される。
【００３３】
前記光学媒体ＬＭに入射される光は該光学媒体ＬＭによって反射され、再び液晶表示パネルＰＮＬ内の液晶を、さらに導光板ＧＬＢを通して観察者側へ入射されるようになる。
観察者は、各画素についてそれらの液晶を透過した赤、緑、および青の光を受け、その際の光はそれぞれ赤色用、緑色用、および青色用の各画素情報が含まれていることから、それらが混色された色の画素を感知することができる。
【００３４】
また、図２（ｂ）の透過モードでは、液晶表示パネルＰＮＬの各画素は画像データに応じて液晶の光透過率が制御され、各ダイオードＲＤ、ＧＤ、ＢＤからの光供給はＯＦＦとなり、かつ、光学媒体ＬＭは光透過機能を有するように設定される。
【００３５】
すなわち、液晶表示パネルＰＮＬには導光板ＧＬＢを通してたとえば太陽等の外来光が入射され、この光は液晶表示パネルＰＮＬ内の液晶を通して光学媒体ＬＭに入射される。この場合、液晶表示パネルＰＮＬの隣接する３個の各画素には赤色用、緑色用、および青色用の画像データが入力され、前記外来光はこれらの各画素の液晶を通過するようになっている。
【００３６】
前記光学媒体ＬＭに入射される光は該光学媒体ＬＭを通過し、色付反射板ＣＲＦによって反射されるようになる。この場合、色付反射板ＣＲＦには、液晶表示パネルＰＮＬにおいて赤色用、緑色用、および青色用の画像データが入力される画素にそれぞれ対向して、赤色フィルタ、緑色フィルタ、および青色フィルタが形成されている。
そして、この色付反射板ＣＲＦによって反射された光は、光学媒体ＬＭ、液晶表示パネルＰＮＬ、さらに導光板ＧＬＢを通して観察者側へ入射されるようになる。
【００３７】
観察者は、隣接した３個の画素について赤、緑、および青の光を受け、その際の光はそれぞれ赤色用、緑色用、および青色用の各画素情報が含まれていることから、それらが混色された色の画素を感知することができる。
【００３８】
上述したことから明らかなように、液晶表示パネルＰＮＬは、それを反射モードで使用する場合は、カラー表示のための単位画素は一個の画素で賄っており、透過モードで使用する場合は、カラー表示のための単位画素は少なくとも三個の画素で賄うようにしている。
【００３９】
図３は、液晶表示パネルＰＮＬの画素と色付反射板ＣＲＦのカラーフィルタＣＦとの関係を示す図である。
まず、図３（ａ）は、液晶表示パネルＰＮＬの一画素における部分と該液晶表示パネルＰＮＬの背面に順次配置される光学媒体ＬＭと色付反射板ＣＲＦを示した断面図である。
【００４０】
液晶表示パネルＰＮＬは、液晶ＬＱを介して対向配置された透明基板ＳＵＢ１、ＳＵＢ２を外囲器とし、該透明基板ＳＵＢ２の液晶側の面に図中ｘ方向に延在しｚ方向に並設される帯状の透明な対向電極ＣＴが形成され、該透明基板ＳＵＢ１の液晶側の面に図中ｚ方向に延在しｘ方向に並設される帯状の透明な画素電極ＰＸが形成されている。
【００４１】
画素電極ＰＸと対向電極ＣＴとが重畳されるクロス部分が一画素を構成し、この部分において発生する電界によって該部分の液晶の光透過率が制御できるようになっている。
なお、液晶表示パネルＰＮＬの画素の構成としては、このようなものに限らず他の構成であってもよいことはもちろんである。
【００４２】
また、光学媒体ＬＭは、この実施例の場合、材料層ＰＤＬＣの表裏面のそれぞれに電極ＴＭ１、ＴＭ２が形成され、それらの電極ＴＭ１、ＴＭ２に電圧を印加することによって、それ自体が反射板あるいは光透過板として機能するようになっている。
【００４３】
該液晶表示パネルＰＮＬを図中ｙ方向側から観た場合、各画素ＰＩＸは、図３（ｂ）に示すように、マトリクス状に配置されている。
この場合、該液晶表示パネルＰＮＬを反射モード（光源ＬＴがＯＮ）として使用する場合には、図３（ｃ）に示すように、カラー表示用の単位画素（図中点線で囲む部分）はそれぞれの各画素ＰＩＸが賄うようになっている。各画素ＰＩＸには前記ダイオードＲＤ、ＧＤ、ＢＤからの光が順次繰り返して通過するからである。
【００４４】
また、該液晶表示パネルＰＮＬを透過モード（光源ＬＴがＯＦＦ）として使用する場合には、図３（ｄ）に示すように、カラー表示用の単位画素は互いに隣接するたとえば９個の画素ＰＩＸ（図中点線で囲む部分）が賄うようになっている。
【００４５】
これら９個の画素ＰＩＸは、３×３の配置となっており、このうち図中左側において図中ｚ方向に並設される３個の各画素ＰＩＸは赤色を担当するようになっており、図中中央側において図中ｚ方向に並設される３個の各画素ＰＩＸは緑色を担当するようになっており、さらには、図中右側において図中ｚ方向に並設される３個の各画素ＰＩＸは青色を担当するようになっている。
【００４６】
この場合、赤色を担当する画素ＰＩＸとは赤色の光が通過する画素ＰＩＸを意味し、その部分に対向する色付反射板ＣＲＦの面には、図３（ｅ）に示すように、赤色フィルタＦＩＬが形成されるようになっている。同様に、緑色を担当する画素ＰＩＸに対向する色付反射板ＣＲＦの面には緑色フィルタＦＩＬが形成され、青色を担当する画素ＰＩＸに対向する色付反射板ＣＲＦの面には青色フィルタＦＩＬが形成されている。
【００４７】
このように構成することによって、光源がＯＮ時（反射モード）の場合に、カラー表示の単位画素が一つの画素に対応することになり、光源がＯＦＦ時（透過モード）の場合に、カラー表示の単位画素が複数（３画素以上）の画素に対応するようになって、外来光によるカラー表示を実現させることができる。この場合、光源ＬＴのＯＮ／ＯＦＦは表示制御回路ＴＣＯＮで制御されているため、この表示制御回路ＴＣＯＮによって容易に判定できる。
【００４８】
図４は、上述のように、光源ＬＴのＯＮ状態、ＯＦＦ状態によってカラー表示の単位画素の画素数が異なることから、光源ＯＦＦ時のデータ数を基準として光源ＯＮ時のデータ数を間引くようにしてもよい。
【００４９】
図４（ａ）は、光源ＯＮ時の表示態様の一部を示す図で、互いに隣接する３×３の画素のうち真中の画素（Ａ１、Ａ２、Ａ３、Ａ４）にデータを供給することを示している。すなわち、解像度を落としてかつ元の情報が表示できるようにデータの間引きを行っている。この際、単純な間引きだけでなく、データのつなぎをスムーズにするための補間演算を行ってもよいことはいうまでもない。
【００５０】
図４（ｂ）は、光源ＯＦＦ時の表示態様の一部を示す図で、図４（ａ）に対応した図となっている。カラー表示用の単位画素である互いに隣接する３×３の画素において同色の色を担当する各画素には、同一のデータで表示され、これにより、専用の画面（待ち受け画面）の表示を行うようにしている。
【００５１】
このように構成する場合、光源ＬＴのＯＮ状態とＯＦＦ状態とで表示の解像度が変わるため、それらの表示画質の差を低減させるため、元の画素の解像度が高いことが望ましい。この場合の画素サイズとしては、１画素が１５０μｍ以下、特に１００μｍ以下が望ましい。元の画素サイズが小さいことにより、光源ＬＴのＯＦＦ時にもカラー表示用の単位画素のサイズがあまり大きくならずに済み、解像度劣化という印象を観察者が持つことを回避できるからである。また、１画素を１００μｍ以下とした場合、拡大表示時の表示領域サイズが現在のいわゆる１５”ＸＧＡ相当程度のサイズとなるため、解像度劣化という印象を観察者に持たせることを抑制できるからである。このことから、解像度としては、１／４ＶＧＡ以上、できればＶＧＡ以上が望ましい。
【００５２】
なお、図４（ｂ）の場合、３×３個の画素から構成されるカラー表示用の単位画素は、その右側の３個の画素にて赤色、真中の３個の画素にて緑色、左側の３個の画素にて青色を担当させたものであるが、これらの配列を変え、たとえば図５（ａ）に示すように、右側の３個の画素にて上から赤色、青色、緑色を担当させ、真中の３個の画素にて上から緑色、赤色、青色を担当させ、左側の３個の画素にて上から青色、緑色、赤色を担当させるようにしてもよいことはもちろんである。この場合における色付反射板ＣＲＦに形成される各カラーフィルタＦＩＬは、図４（ｂ）に示すように、上記担当された各色に合わせて対向する箇所に形成されるようになる。
【００５３】
このようにした場合、カラー表示用の単位画素内で赤色、緑色、青色の配置の比率が均一となることから、赤色、緑色、青色の分離が視認され難くなり、該単位画素の全体が光っているように見え画質が向上するようになる。なお、この場合、データの並べ替えを必要とするが、これは表示制御回路ＴＣＯＮによって容易に実現することができる。
【００５４】
また、図１に示した液晶表示装置は、その導光板ＧＬＢを液晶表示パネルＰＮＬよりも観察者側に配置させたものである。しかし、図６に示すように、液晶表示パネルＰＮＬの背面であって、光学媒体ＬＭの前方に配置させるようにしてもよいことはいうまでもない。同様の効果を奏するからである。
【００５５】
しかし、図１に示した液晶表示装置は、導光板ＧＬＢの厚さが比較的大きくなっても、反射された光のぼやけが生じにくいことから、高解像度に充分対応させることができるという効果を奏する。
【００５６】
実施例２．
図７（ａ）は、本発明による液晶表示装置の他の実施例を示す断面図で、たとえば図６と比較した場合に、光学媒体ＬＭおよび色付反射板ＣＲＦが具備されていない構成となっている。光学媒体ＬＭおよび色付反射板ＣＲＦがそれぞれもたらす各機能は液晶表示パネルＰＮＬ内に具備させているからである。
【００５７】
図７（ｂ）は該液晶表示パネルＰＮＬの一画素の部分を断面にとった図である。なお、導光板ＧＬＢは観察者側から見て該液晶表示パネルＰＮＬの背面に配置されている。
【００５８】
該液晶表示パネルＰＮＬの構成は、基本的には図３（ａ）に示した液晶表示パネルのそれと同じであるが、カラーフィルタＣＦと反射層ＲＦが設けられていることに相違を有する。
【００５９】
まず、カラーフィルタＣＦはたとえば透明基板ＳＵＢ２の液晶側の面の画素の一部に形成されている。図７（ｂ）の場合には透明基板ＳＵＢ２の液晶側の面に該カラーフィルタＣＦを形成し、このカラーフィルタＣＦをも被って対向電極ＣＴが形成された構成となっている。
【００６０】
また、反射層ＲＦは透明基板ＳＵＢ１の液晶側の面の画素の一部に形成され、前記カラーフィルタＣＦと対向する箇所にほぼ同一のパターンで形成されている。図７（ｂ）の場合には透明基板ＳＵＢ１の液晶側の面に該反射層ＲＦを形成し、この反射層ＲＦをも被って形成された絶縁膜の上面に画素電極ＰＸが形成されている。
【００６１】
このように構成された液晶表示装置は、図７（ｃ）に示すように、光源ＬＴがＯＮ時において、透明基板ＳＵＢ１を透過した該光源ＬＴからの光は画素の前記反射層ＲＦが形成されていない領域の液晶ＬＱ、透明基板ＳＵＢ２を通して観察者側に至るようになる。
【００６２】
前記光源ＬＴからの光は、赤、緑、青の各色が切り換えられて順次照射されるため、透明基板ＳＵＢ２側に形成されたカラーフィルタＣＦを通過しなくても観察者はそれらの混色を認識することができる。
【００６３】
また、図７（ｄ）に示すように、光源ＬＴがＯＦＦ時において、太陽等の外来光は透明基板ＳＵＢ２、液晶ＬＱを透過して前記反射層ＲＦによって反射された光が透明基板ＳＵＢ２側に形成されたカラーフィルタＣＦを通過して観察者に至るようになる。この場合、前記反射層ＲＦによって反射されない他の光は液晶表示パネルＰＮＬ、導光板ＧＬＢを通過して観察者に至らないようになる。
【００６４】
なお、上述した構成において、カラーフィルタＣＦの領域は、反射層ＲＦに対し、約１／２〜２倍の面積であることが望ましい。光の透過時の着色抑制と反射時の高色純度を両立するためである。
【００６５】
この場合、反射層ＲＦの画素電極ＰＸに対する面積比は、透過の態様をメインとするか反射の態様をメインとするかにより、その目的に応じて適宜選択可能である。この場合、透過時における反射光の影響を抑制するためには、画素電極ＰＸの面積に対し１／３以下であることが望ましい。赤、緑、青の各３色に対し、反射光の色の影響が上回ることを回避するためである。
【００６６】
このように、各画素に１色のカラーフィルタＣＦを設けた場合、光源ＬＴのＯＮ時には１画素で３色の表示が実現できるのに対し、光源ＬＴのＯＦＦ時には１画素で１色の表示を実現できる。
【００６７】
したがって、実施例１に示したように、隣接する少なくとも３個の画素に３原色のカラーフィルタをあてがうことにより、光源ＯＦＦ時においてカラー表示用の単位画素を構成することができる。
また、カラーフィルタＣＦの位置は、光反射層ＲＦと平面的に関連づけて配置される限り該光反射層ＲＦと同一基板に設けてもよい。
【００６８】
図８（ａ）は、図７（ｂ）を液晶側から観た一画素の平面図である。該画素ＰＩＸは、図中ｘ方向に延在しｙ方向に並設されるゲート信号線ＧＬとｙ方向に延在しｘ方向に並設されるドレイン信号線ＤＬによって囲まれて形成されている。当該画素ＰＩＸに対し一方のゲート信号線（図中下側）ＧＬの一部には図示せぬ絶縁膜を介して半導体層ＳＣが該ゲート信号線ＧＬを横切って形成され、該ゲート信号線ＧＬへの走査信号の供給によって該半導体層ＳＣがその一端から他端にかけて導通する薄膜トランジスタＴＦＴが形成されている。
該半導体層ＳＣの一端は当該画素ＰＩＸに対し一方のドレイン信号線（図中左側）ＤＬに電気的に接続され、他端は画素電極ＰＸに電気的に接続されている。
【００６９】
画素電極ＰＸは当該画素ＰＩＸの周辺を除く中央の大部分に形成され、ゲート信号線ＧＬとの距離よりもドレイン信号線ＤＬとの距離を比較的大きくしてその周辺が規制されている。
【００７０】
画素電極ＰＸとドレイン信号線ＤＬの間の領域には反射膜ＲＦが形成され、この反射膜ＰＦの画素電極ＰＸ側の辺は該画素電極ＰＸと重畳されて形成されている。この反射膜ＲＦの面積は透明基板ＳＵＢ２側のカラーフィルタＣＦの面積によってほぼ決定されることは上述したとおりである。
【００７１】
また、図８（ｂ）は、本発明による液晶表示装置の画素の他の実施例を示す平面図で、図８（ａ）に対応した図となっている。また、図８（ｃ）は図８（ｂ）のｃ−ｃ線における断面図である。
図８（ａ）と比較して異なる構成は、ドレイン信号線ＤＬに近接して配置される反射膜ＲＦは当該画素ＰＩＸと隣接する他の画素ＰＩＸにおける反射膜ＲＦと物理的に接続されて一体に形成されている。したがって、このように構成された反射膜ＲＦはドレイン信号線ＤＬと重畳された部分を有して形成されることになる。
このように形成することによって、ドレイン信号線ＤＬの両脇における近傍において、遮光機能をもたせることができ、この部分における光漏れを防ぐことができるようになる。
【００７２】
また、図８（ｄ）は、本発明による液晶表示装置の画素の他の実施例を示す平面図で、図８（ａ）に対応した図となっている。
図８（ａ）の場合と比較して異なる構成は、前記反射膜ＲＦはゲート信号線ＧＬと同層に位置づけられ、しかもその一端がゲート信号線ＧＬに物理的かつ電気的に接続されている。
【００７３】
反射膜ＲＦは、この実施例の場合、たとえば当該画素を駆動させるゲート信号線ＧＬとで当該画素を囲む他のゲート信号線ＧＬ（図中上側のゲート信号線）と接続されている。このようにした場合、反射膜ＲＦの画素電極ＰＸ側の辺が該画素電極ＰＸと図示せぬ絶縁膜を介して重畳され、この部分において画素電極ＰＸと前記ゲート信号線ＧＬとの間に容量素子Ｃａｄｄを形成することができるようになる。
【００７４】
なお、この趣旨からして、画素ＰＩＸ内に図中ｘ方向に容量信号線を形成する場合には、この容量信号線と前記反射膜ＲＦとを一体化して形成するようにしてもよいことはもちろんである。
【００７５】
また、図８（ｅ）は、本発明による液晶表示装置の画素の他の実施例を示す平面図で、図８（ｂ）に対応した図となっている。
この場合においても、前記反射膜ＲＦはゲート信号線ＧＬと同層に位置づけられ、しかもその一端がゲート信号線ＧＬに物理的かつ電気的に接続されている。そして、該反射膜ＲＦは、ドレイン信号線ＤＬと重畳された部分を有して形成され、ドレイン信号線ＤＬの両脇における近傍において、遮光機能をもたせることができる。
【００７６】
さらに、図８（ｆ）は、本発明による液晶表示装置の画素の他の実施例を示す平面図で、図８（ｂ）に対応した図となっている。
図８（ｂ）の場合、反射膜ＲＦとドレイン信号線ＤＬとは層を異にして形成されたものであるが、図８（ｆ）の場合は、これら反射膜ＲＦとドレイン信号線ＤＬとを同層かつ一体に形成したものである。
このようにすることによって、ドレイン信号線ＤＬは反射膜ＲＦを兼ねる構成とすることができ、また、ドレイン信号線ＤＬ自体の電気的抵抗を低減させるようにできる。
【００７７】
さらに、図８（ｇ）は、本発明による液晶表示装置の画素の他の実施例を示す平面図で、図８（ｃ）に対応した図となっている。
図８（ｃ）の場合、画素電極ＰＸと反射膜ＲＦとは絶縁膜を介して層を異にして形成されたものであるが、図８（ｇ）の場合は、画素電極ＰＸと反射膜ＲＦが別個の材料として形成するとともに、それらを何ら絶縁膜を介することなく重畳させて形成させたものとしている。
このように構成した場合、該反射膜ＲＦの材料として電気的抵抗の小さいものを選択することによって、画素電極ＰＸ自体の電気的抵抗の低減を図ることができるようになる。
【００７８】
実施例３．
図９（ａ）は、本発明による液晶表示パネルの画素の他の実施例を示す平面図である。
この液晶表示パネルＰＮＬの一画素は図中ｘ方向に延在されｙ方向に並設されるゲート信号線ＧＬの間、かつ、ｙ方向に延在されｘ方向に並設されるドレイン信号線ＤＬの間に位置づけられている。
これにより、各信号線によって囲まれる画素領域にはたとえばｘ方向に配列された３個の画素電極ＰＸ１、ＰＸ２、ＰＸ３が設けられている。
【００７９】
それぞれの画素電極ＰＸ１、ＰＸ２、ＰＸ３は、たとえば図中上側に配置されるゲート信号線ＧＬと、図示せぬ絶縁膜を介して横切って配置される半導体層ＳＣ１、ＳＣ２、ＳＣ３の各一端に電気的に接続され、それら各他端はそれぞれ共通に接続されてたとえば図中右側に配置されるドレイン信号線ＤＬと電気的に接続されている。前記半導体層ＳＣ１、ＳＣ２、ＳＣ３のそれぞれは、薄膜トランジスタＴＦＴ１、ＴＦＴ２、ＴＦＴ３のそれであり、それに交差して配置されるゲート信号線ＧＬに走査信号が供給された場合には、ドレイン信号線ＤＬからの映像信号が各画素電極ＰＸ１、ＰＸ２、ＰＸ３に供給されるようになっている。
【００８０】
また、各画素電極ＰＸ１、ＰＸ２、ＰＸ３と図中下側に配置されるゲート信号線ＧＬとの間の領域に、３本の補助走査信号線ＲＬ１、ＲＬ２、ＲＬ３、が図中ｘ方向に延在されｙ方向に並設されている。
【００８１】
そして、画素電極ＰＸ１は、前記補助走査信号線ＲＬ１と、図示せぬ絶縁膜を介して横切って配置される半導体層ＳＣ４の一端に電気的に接続され、該半導体層ＳＣ４の他端は図中右側に配置されるドレイン信号線ＤＬと電気的に接続されている。前記半導体層ＳＣ４は、薄膜トランジスタＴＦＴ４のそれであり、それに交差して配置される補助走査信号線ＲＬ１に信号が供給された場合には、ドレイン信号線ＤＬからの信号（後述する黒表示信号）が該画素電極ＰＸ１に供給されるようになっている。
【００８２】
同様に、画素電極ＰＸ２は、前記補助走査信号線ＲＬ２と図示せぬ絶縁膜を介して横切って配置される半導体層ＳＣ５の一端に電気的に接続され、該半導体層ＳＣ５の他端は図中右側に配置されるドレイン信号線ＤＬと電気的に接続されている。前記半導体層ＳＣ５は薄膜トランジスタＴＦＴ５のそれであり、それに交差して配置される補助走査信号線ＲＬ２に信号が供給された場合には、ドレイン信号線ＤＬからの信号（後述する黒表示信号）が該画素電極ＰＸ２に供給されるようになっている。
【００８３】
同様に、画素電極ＰＸ３は、前記補助走査信号線ＲＬ３と、図示せぬ絶縁膜を介して横切って配置される半導体層ＳＣ６の一端に電気的に接続され、該半導体層ＳＣ６の他端は図中右側に配置されるドレイン信号線ＤＬと電気的に接続されている。前記半導体層ＳＣ６は、薄膜トランジスタＴＦＴ６のそれであり、それに交差して配置される補助走査信号線ＲＬ３に信号が供給された場合には、ドレイン信号線ＤＬからの信号（後述する黒表示信号）が該画素電極ＰＸ３に供給されるようになっている。
【００８４】
このように構成された液晶表示パネルＰＮＬは、図９（ｂ）に示すように、その画素ＰＩＸに対して、各色を担当する画素電極ＰＸ１、ＰＸ２、ＰＸ３を備え、色付反射板ＣＲＦには前記画素電極ＰＸ１に対向するようにして赤色のカラーフィルタＦＩＬ、緑色のカラーフィルタＦＩＬ、青色のカラーフィルタＦＩＬが形成されている。
【００８５】
また、該液晶表示パネルＰＮＬは、図９（ｃ）に示すように、その観察者側の面に導光板ＧＬＢが、背面には光学媒体ＬＭ、色付反射板ＣＲＦが順次配置されるようにして液晶表示装置を構成している。
【００８６】
このように構成された液晶表示装置は、光源ＬＴがＯＮ時において、補助走査信号線ＲＬ１、補助走査信号線ＲＬ２、補助走査信号線ＲＬ３は常にＯＦＦにされ、ゲート信号線ＧＬからの走査信号の供給によって駆動される薄膜トランジスタＴＦＴ１、ＴＦＴ２、ＴＦＴ３を介して、ドレイン信号線ＤＬから画素電極ＰＸ１、ＰＸ２、ＰＸ３のそれぞれに映像信号が供給されるようになる。
【００８７】
なお、この際の映像信号としては、赤色用の階調信号、緑色用の階調信号、青色用の階調信号が順次供給され、それに応じて、導光板ＧＬＢからの光は赤色、緑色、青色の各光が順次切り換えられて入射されるようになる。また、導光板ＧＬＢからの光は画素電極ＰＸ１、ＰＸ２、ＰＸ３いずれにも同じように透過、あるいは反射し、当該画素からの各光は混色された状態で観察者が認識するようになる。
【００８８】
また、光源がＯＦＦ時において、当該画素を赤色→緑色→青色と順次表示するタイミングに応じて、まず、赤色表示の際に、ゲート信号線ＧＬによりデータを画素電極ＰＸ１、ＰＸ２、ＰＸ３に書き込み、その後、ドレイン信号線ＤＬに黒データを入れ、かつ補助走査信号線ＲＬ２、補助走査信号線ＲＬ３をＯＮにし、画素電極ＰＸ２、ＰＸ３の部分の表示を黒にする。これにより、画素電極ＰＸ１の部分の表示は赤色になる。
【００８９】
次に、緑色表示の際に、ゲート信号線ＧＬによりデータを画素電極ＰＸ１、ＰＸ２、ＰＸ３に書き込み、その後、ドレイン信号線ＤＬに黒データを入れ、かつ補助走査信号線ＲＬ１、補助走査信号線ＲＬ３をＯＮにし、画素電極ＰＸ１、ＰＸ３の部分の表示を黒にする。これにより、画素電極ＰＸ２の部分の表示は緑色になる。
【００９０】
次に、青色表示の際に、ゲート信号線ＧＬによりデータを画素電極ＰＸ１、ＰＸ２、ＰＸ３に書き込み、その後、ドレイン信号線ＤＬに黒データを入れ、かつ補助走査信号線ＲＬ１、補助走査信号線ＲＬ２をＯＮにし、画素電極ＰＸ１、ＰＸ２の部分の表示を黒にする。これにより、画素電極ＰＸ２の部分の表示は青色になる。
このようにすることによって、表示の解像度の低下なくして、観察者は各色の反射表示を認識することができる。
【００９１】
図１０（ａ）は、上述した液晶表示装置において、ドレイン信号線ＤＬへの映像信号の供給、ゲート信号線ＧＬへの走査信号の供給、補助走査信号線ＲＬ１、補助走査信号線ＲＬ２、および補助走査信号線ＲＬ３への各信号の供給における画素電極ＰＸ１、画素電極ＰＸ２、および画素電極ＰＸ３の各表示を示したタイミングチャートである。このタイミングチャートにおける各信号の供給のタイミングは上述した通りである。
【００９２】
また、図１０（ｂ）は、図１０（ａ）の場合とは異なる信号の供給を行なっている場合を示し、図１０（ａ）の場合と比較した場合、補助走査信号線ＲＬ１、補助走査信号線ＲＬ２、および補助走査信号線ＲＬ３へ供給する各信号の立ち上がりをゲート信号線ＧＬへ供給する走査信号とオーバーラップさせるとともに、該補助走査信号線ＲＬ１、補助走査信号線ＲＬ２、および補助走査信号線ＲＬ３へ供給する各信号の立ち下がりをゲート信号線ＧＬへ供給する走査信号の立下り以降にしていることにある。
このようにした場合、表示する色以外の領域をより短時間で黒にできるため、色純度の一層の向上を図るようにすることができる。
【００９３】
実施例４．
図１１（ａ）は、上述した液晶表示パネルＰＮＬの画素の他の実施例を示す平面図で、図９（ａ）に対応した図となっている。
図９（ａ）の場合と比較して異なる構成は、たとえば当該画素に映像信号を供給するドレイン信号線ＤＬに隣接させて黒書き込み専用の補助映像信号線ＲＤを設け、この補助映像信号線ＲＤから、補助走査信号線ＲＬ１によってオンする薄膜トランジスタＴＦＴ４、補助走査信号線ＲＬ２によってオンする薄膜トランジスタＴＦＴ５、補助走査信号線ＲＬ３によってオンする薄膜トランジスタＴＦＴ６を介して、各画素電極ＰＸ１、ＰＸ２、ＰＸ３へ黒の信号を供給するようにしていることにある。
【００９４】
このように構成することによって、従来のいわゆるフィールドシーケンシャル方式の信号書き込みを変更することなく構成することができる。補助映像信号線ＲＤには常に黒表示のための電位を供給でき、たとえばノーマリーブラックモードの場合には対向電極ＣＴに供給する電位、いわゆるコモン電位を給電しておけばよいことになる。
【００９５】
図１０（ｂ）は、上述した画素を備える液晶表示パネルＰＮＬにおいて、ドレイン信号線ＤＬへの映像信号の供給、ゲート信号線ＧＬへの走査信号の供給、補助映像信号線ＲＤへの信号の供給、補助走査信号線ＲＬ１、補助走査信号線ＲＬ２、および補助走査信号線ＲＬ３への各信号の供給における画素電極ＰＸ１、画素電極ＰＸ２、および画素電極ＰＸ３の各表示を示したタイミングチャートを示す図である。
【００９６】
実施例５．
図１２（ａ）は、上述した液晶表示パネルＰＮＬの画素の他の実施例を示す平面図である。
一画素は互いに隣接されて配置されるドレイン信号線ＤＬの間に位置づけられ、該画素には並設された画素電極ＰＸ１、ＰＸ２、ＰＸ３を具備することは上述した実施例と同様である。しかし、該各画素電極ＰＸ１、ＰＸ２、ＰＸ３をそれぞれ独立に駆動させるためのゲート信号線ＧＬ１、ＧＬ２、ＧＬ３を備えることにおいて異なった構成となっている。
【００９７】
すなわち、画素電極ＰＸ１は薄膜トランジスタＴＦＴ１を介して当該画素のたとえば左側に位置づけられるドレイン信号線ＤＬから映像信号が供給されるようになっており、該薄膜トランジスタＴＦＴ１はゲート信号線ＧＬ１からの走査信号によってオンされるようになっている。また、画素電極ＰＸ２は薄膜トランジスタＴＦＴ２を介して前記ドレイン信号線ＤＬから映像信号が供給されるようになっており、該薄膜トランジスタＴＦＴ２はゲート信号線ＧＬ２からの走査信号によってオンされるようになっている。さらに、画素電極ＰＸ３は薄膜トランジスタＴＦＴ３を介して前記ドレイン信号線ＤＬから映像信号が供給されるようになっており、該薄膜トランジスタＴＦＴ３はゲート信号線ＧＬ３からの走査信号によってオンされるようになっている。
このように構成することによって、上述した画素の構成と比べ配線の数を低減させることができる。
【００９８】
図１２（ｂ）は、上述した構成の画素を有する液晶表示パネルＰＮＬにおいて、その反射モードの際の、ドレイン信号線ＤＬへの映像信号の供給、ゲート信号線ＧＬ１、ゲート信号線ＧＬ２、およびゲート信号線ＧＬ３への走査信号の供給における画素電極ＰＸ１、画素電極ＰＸ２、および画素電極ＰＸ３の各表示を示したタイミングチャートである。
【００９９】
画素電極ＰＸ１、画素電極ＰＸ２、および画素電極ＰＸ３には、それぞれ時間の経過とともにたとえば赤色表示、緑色表示、青色表示が切り換ってなされるが、この場合、一の画素電極において該表示がなされた後であって次の画素電極において表示がなされる前に黒表示がなされるように構成されている。
【０１００】
すなわち、この黒表示がなされる際にゲート信号線ＧＬ１、ＧＬ２、ＧＬ３のそれぞれに同時に走査信号が供給され、たとえば赤色、緑色、青色の順次切り換り時に、画面全体に黒を書き込むようになっている。
これにより、各画素電極ＰＸ１、ＰＸ２、ＰＸ３に蓄積されている色の電荷を抜いて、混色を防止することができる。
【０１０１】
さらに、この際に、液晶表示パネルＰＮＬの各ゲート信号線ＧＬをたとえば図中上から下にかけて順次スキャンするようにしてもよいが、色の表示時間が画面の上下で異なってしまうことから、図１２（ｃ）に示すように、フレーム単位あるいは複数フレーム単位で上から下へスキャンする場合と下から上へスキャンする場合とを混在させるようにしてもよい。
これにより、画面内での輝度を平均化でき、表示むらを低減させることができるようになる。
【０１０２】
上述した各実施例はそれぞれ単独に、あるいは組み合わせて用いても良い。それぞれの実施例での効果を単独であるいは相乗して奏することができるからである。
また、上述した液晶表示装置は、それが組み込まれる対象は限定されることはないが、たとえば図１２（ａ）に示すようなＰＤＡ（Ｐｅｒｓｏｎａｌ  Ｄｉｇｉｔａｌ  Ａｓｓｉｓｔａｎｔ）あるいは図１２（ｂ）に示すような携帯電話の画面部に適用することが好ましい。ＰＤＡおよび携帯電話は、それが小型であることから屋外で使用する機会が多く、太陽等の外来光を光源として用いることができるからである。
【０１０３】
【発明の効果】
以上説明したことから明らかなように、本発明による液晶表示装置によれば、機械的動作機構がなく、これにより、信頼性に高く、かつ小型化を実現できるようになる。
【図面の簡単な説明】
【図１】本発明による液晶表示装置の一実施例を示す構成図である。
【図２】図１に示した液晶表示装置の反射モードおよび透過モードの使用における光の経路を示した図である。
【図３】図１に示した液晶表示装置の画素と色付反射板との関係の一実施例を示した構成図である。
【図４】図１に示した液晶表示装置の反射モードおよび透過モードにおける表示態様の一実施例を示した説明図である。
【図５】図１に示した液晶表示装置の画素と色付反射板との関係の他の実施例を示した構成図である。
【図６】本発明による液晶表示装置の他の実施例を示す構成図である。
【図７】本発明による液晶表示装置の他の実施例を示す構成図である。
【図８】本発明による液晶表示装置の他の実施例を示す構成図である。
【図９】本発明による液晶表示装置の他の実施例を示す構成図である。
【図１０】図９に示した液晶表示装置の駆動方法の実施例を示したタイムチャートである。
【図１１】本発明による液晶表示装置の他の実施例を示す構成図、およびその駆動方法の実施例を示したタイムチャートである。
【図１２】本発明による液晶表示装置の他の実施例を示す構成図、およびその駆動方法の実施例を示したタイムチャートである。
【図１３】本発明による液晶表示装置が組み込まれる機器の実施例を示した説明図である。
【符号の説明】
ＬＴ…光源、ＧＬＢ…導光板、ＰＮＬ…液晶表示装置、ＰＯＬ…偏光板、ＬＭ…光学媒体、ＣＲＦ…色付反射板、ＬＣＡ…点灯制御装置、ＴＣＯＮ…表示制御回路、ＤＲＶ１、ＤＲＶ２…駆動回路、ＰＸ…画素電極、ＣＴ…対向電極、ＴＦＴ…薄膜トランジスタ、ＣＦ…カラーフィルタ、ＲＥ…反射板、ＳＵＢ１、ＳＵＢ２…透明基板、ＬＱ…液晶、ＧＬ…ゲート信号線、ＤＬ…ドレイン信号線、ＲＬ１、ＲＬ２、ＲＬ３…補助走査信号線。
【図１】
2004287031.tif 000003
【図２】
2004287031.tif 000004
【図３】
2004287031.tif 000005
【図４】
2004287031.tif 000006
【図５】
2004287031.tif 000007
【図６】
2004287031.tif 000008
【図７】
2004287031.tif 000009
【図８】
2004287031.tif 000010
【図９】
2004287031.tif 000011
【図１０】
2004287031.tif 000012
【図１１】
2004287031.tif 000013
【図１２】
2004287031.tif 000014
【図１３】
2004287031.tif 000015